(57)【要約】【課題】  曲げ変形可能な床仕上げ材を、床面と交差する垂直面の入り隅部分で切断するための工具として従来から市販されているコーナー・カッターは、刃の角度が固定されているために材の厚さやその性状にあわせて最適な位置で切断できるように調整するのが難しいのが現状であります。【解決手段】  本発明は、工具の一部であるカッター刃を固定するホルダーの角度を自由に変えて固定できるようにしたもので、これにより通常施工する床材の厚さの範囲においては、材の厚さとその性状に応じて刃の角度を調整することにより、あらゆる床仕上げ材に対応して最適な位置で切断できるようになります。【選択図】図３
2009185594.tif 000002
【特許請求の範囲】
【請求項１】
工具本体に、角度を任意に変化・固定できるカッター刃のホルダーを有する、床仕上げ材に用いる切断工具。
【発明の詳細な説明】
【技術分野】
【０００１】  本発明は、建築物の床面の仕上げ材を施工する際に用いる工具に関するものである。
【背景技術】
【０００２】  建築物の床面の仕上げ材には色々な材料があります。その材料を施工する際には、壁や什器その他の垂直面とぶつかるところで床仕上げ材を切断する必要があります。タイルやＰタイル、塩ビタイルなどの堅い仕上げ材では所要の寸法や形に予め切断してから壁際などに納めることになります。しかし、カーペットや長尺シート、クッションフロアー、タイルカーペットなどの曲げ変形可能な材では予め切断するよりも床面とぶつかる垂直面に立ち上げておいた状態で切断して納めた方が効率が良い場合が多いため、その入り隅部分を床面と垂直面の交差線に沿って押し切ってゆく隅切り工具が数種類市販されており、一般にはコーナー・カッターと呼ばれております。いずれも床仕上げ材を床面及び垂直面に工具の円筒状の部分で押し付け、工具に斜めにセットされているカッター刃で一定の状態で押し切ってゆく物です。中には、仕上げ材の厚みに対応して刃の位置を上下に調整できるものもあります。
【発明の開示】
【０００３】  本発明は、刃の角度を可変な構造とすることにより、刃の角度を調整して床材の厚さやその性質に応じて最適な切断位置で切断できるようにしたコーナー・カッターです。
【発明が解決しようとする課題】
【０００４】  従来のコーナー・カッターは、カッター刃のセット角度が固定されているため、床仕上げ材の厚さやその性質に充分対応出来ていないのが現状であります。厚さに応じて刃の位置を上下できる物もありますが、材料によっては表面部分が堅く裏地が柔らかい物もあり、逆にカーペットのように表面が柔らかく裏地が堅い物もあります。同じ厚さでも切断する最適な位置、つまり切断した部分が垂直面とぴったり一致する位置は両者で異なりますので充分な対応とは言えません。
【０００５】  また、従来の工具は安易に理論的最適切断面（次項で言及する）を追及するあまり、刃の角度が水平面に対して３０度前後に設定されているものがほとんどであるため、ちょっとした刃の出しすぎで、垂直面である壁や幅木等を傷つけてしまう恐れがあります。
【課題を解決するための手段】
【０００６】  隅切り工具によって床面と垂直面に押し付けられた床仕上げ材の状態を図１に示します。この時、床材は工具の円筒状の部分に添って曲げられております。いま、工具の円筒状の部分および床材の曲率の中心Ｏを通る線分で床材をＡＢの部分で切断したとき、切断後の状態が垂直面と一致してＡ′Ｂ′となれば理想的です。このような最適角度ｄは工具の丸筒状の部分の半径ｒ、床材の厚さｔおよび床材の性質との関係で一定値とはなりません。床材は曲げ変形をしていますので、内側では縮み外側では伸びていることになります。いま、床材の中で伸び縮みのない中立面を考えた場合、その中立面の位置を表面側からαｔとします。均一な材料であればαは０．５となりますが、表面が堅く裏地が柔らかな複合材ではそれより小さく、また逆に表面が変形しやすく裏地が堅い複合材ではそれより大きな数値となります。最適角度ｄはｒとｔとαの関数として一義的に決定されます。
【０００７】  最適角度ｄの単位を度とすれば、中立面の切片ＣＣ′が曲率中心から垂直面までの距離と同じくなれば良いわけですから、数１の等式がその条件式となります。最適角度ｄは数２で与えられます。いま、仮に工具の円筒部分の曲率半径ｒを１２．５ｍｍとすると、最適角度ｄと床材の厚さｔ及び中立面の位置を表す係数αの関係は図２に示す通りとなります。工具の曲率半径ｒは自由に設定できるわけですが、小さすぎると厚い床材に対応しにくくなり、また大きすぎると薄い床材の切断時に曲率に添わずに床面と垂直面との間に逃げてしまう恐れがあります。一長一短ですが経験的には１０ｍｍから１５ｍｍ程度と考えます。また床材の係数αですが、床材に表記されているわけではありませんので、材の性状を見て見当をつけるほかありません。心配な場合は端材で試しに切断してみて、角度調整をおこなうことになります。図２からも分かるように、最適角度は概ね３０度前後に分布しております。従来の工具の刃の角度が３０度前後に固定されているのはこのような最適角度を考えてのことと思われます。
【０００８】  理論的には、図１における線分ＯＡＢ上にカッター刃をセットして、床面と垂直面の交差線に沿って押し切ってゆけば良いのですが、床材と垂直面の空隙が少ないために刃の出しすぎにより垂直面を傷つけてしまう恐れがあります。この問題を解決するために、本発明ではカッター刃を線分ＯＡから約３０度程度縦方向に傾け、かつＡを通るようにセットします。こうすると、床材の切断面は図１のＡＤになり、切断後にはＡ′Ｄ′になります。この状態は施工後の見映えも良く、また施工後の温度上昇による床材の伸びによる突き上げも多少ながら吸収できますので、より実際的な切断角度と言う事ができます。床材をＡＤで切断するには、カッター刃をＡＤより少し長めに出しておく必要がありますが、カッター刃は床面と垂直面の交差線近傍に向かってセットされていますので、垂直面を傷つける恐れは少なくなります。ただ最適角度が小さい場合には、それに応じて刃の角度も小さくなりますので、垂直面を傷つけないように刃の出を慎重にする必要はあります。
【発明の効果】
【０００９】  先ず第一に、床仕上げ材が垂直面との入り隅部分で曲げ変形可能な材料であれば、あらゆる種類の床材、また床材の厚さに対応して、刃の角度を調整することにより常に最適な切断位置で切断できるようになります。
【００１０】  次に、本発明の工具を用いれば熟練の技能が無い人でも簡単にかつ迅速に施工することが出来るようになります。熟練者の中には従来の工具が充分満足のゆくものでないため、この種の工具を使用せずに手でカッターを持って切断していく者もおりますが、壁際など長い距離を切る場合には驚異的な集中力が必要となります。また熟練者といえども、この工具を用いて押し切ってゆく速さにはかないません。この効率と施工精度のよさを兼ね備えた工具は、熟練技能者の年々少なくなって来ている今日、社会の要請するところです。
【００１１】  また、この工具の刃は円筒状の部分の中心を通る角度から約３０度立ち上がった角度に設置されてます。それにより、従来の工具では刃のちょっとした出しすぎにより壁や幅木・垂直面の仕上げ材等を傷つける恐れがありましたが、本発明ではその恐れが少なくなります。
【発明を実施するための最良の形態】
【００１２】  本発明の工具の構造を図３に示します。カッター刃Ｋはカッター刃の固定具ＦでホルダーＨに固定されます。このとき刃の出を、切断する床仕上げ材の厚さに応じて固定具Ｆで調整します。ホルダーＨは前後から回転中心ピンＰ１・Ｐ２で工具本体Ｇに固定されています。回転中心ピンＰの位置は工具本体Ｇの円筒状の部分の曲率中心と一致させます。この状態でホルダーＨは工具本体Ｇとの関係では、ピンＰ１・Ｐ２を軸とする回転に対する自由度のみを有することになります。ホルダーＨは、カッター刃の面と工具本体の円筒状の面の交差する線と回転軸を結ぶ面に対して、交差線を軸に約３０度立ち上がる状態に、また進行方向に３０度程度傾いた状態でカッター刃を設置できるような構造とします。また、ホルダーＨには回転を固定するためのアームと角度の目盛りを指すためのポインターが設けられていて、工具本体側に取り付けられた角度目盛盤Ｍで最適角度を設定し、角度固定用ネジＲで本体とアームをはさんでホルダーを固定できる構造となっています。工具本体Ｇの床材と接触する部分は、床材を床面と垂直面に押し曲げて滑らせながら切断していく機能上、堅くて平滑である必要があります。また角の部分は丸く面取りしてある必要もあります。床材を押し曲げる部分は円筒状になっていますが、カッター刃の出る部分にはその可変範囲で開口部が設けられています。【００１３】  また、工具本体には握りＮの部分があります。これは工具の構造には関係しませんが、工具を用いる際に力が入れやすく使い勝手を良くするために設けられているものです。したがって、本体の一部を必要な形状にするのも可ですし、別途に作られたものを本体に取り付けて一体とすることも可能です。【００１４】
【数１】
2009185594.tif 000003
【００１５】
【数２】
2009185594.tif 000004
【図面の簡単な説明】
【００１６】
【図１】  本発明の工具と床仕上げ材及び床面と垂直面との関係、並びに理論的な最適切断面と本発明の工具による切断面の関係を示す断面図。
【図２】  工具の円筒状の部分の曲率半径を１２．５ｍｍとしたときの、床仕上げ材の厚さｔと曲げに対する性状を表す係数αと最適切断角度ｄの関係図。
【図３】  本発明の工具の構造を示す分解図。
【符合の説明】
【００１７】Ｏ        工具の円筒状の部分の曲率中心、カッターホルダーの回転中心
ｄ        切断後の床材表面が垂直面と一致する最適切断角度
Ａ        最適切断角度で切断される床材の表面位置
ＡＢ      理論的な最適切断面
Ａ′Ｂ′  切断後の理論的な最適切断面
ＡＤ      本発明の工具による最適切断面
Ａ′Ｄ′  切断後の本発明の工具による最適切断面
α        曲げ変形を受ける床仕上げ材の中立面の表面からの位置を表す係数
ＣＣ′    曲げ変形を受ける床仕上げ材の中立面
ｒ        工具の円筒状の部分の曲率半径
ｔ        床仕上げ材の厚さ
Ｋ        カッター刃
Ｆ        カッター刃の固定具
Ｈ        カッター刃のホルダー
Ｐ１      ホルダーの支持・回転中心ピン
Ｐ２      ホルダーの支持・回転中心ピン
Ｒ        ホルダーの角度固定用ネジ
Ｇ        工具の本体
Ｍ        角度目盛り盤
Ｎ        握り
【図１】
2009185594.tif 000005
【図２】
2009185594.tif 000006
【図３】
2009185594.tif 000007